(57)【要約】【課題】安定して露光できる露光装置を提供する。【解決手段】基板２１には、透明な複数のデータ電極３０が形成されている。これらデータ電極３０は、ＩＴＯ（錫ドープ酸化インジウム）からなる透明な電極である。これらデータ電極３０は感光体ドラム２の軸に平行な方向に順に配列されている。絶縁膜６０の上には複数の選択電極４０が設けられ、これら選択電極４０は感光体ドラム２の軸に平行な方向に延在している。平面視してデータ電極３０と選択電極４０との各交差部において開口部６１が絶縁膜６０に形成されている。各開口部６１にＥＬ層５０が埋設され、ＥＬ層５０がデータ電極３０と選択電極４０との間に挟まれている。これら選択電極４０の何れかが指定されている時に１枚の紙９９に画像が形成され、次の紙９９の画像形成時には別の選択電極４０が指定される。【選択図】図２
2008080643.tif 000002
【特許請求の範囲】
【請求項１】
記録媒体に画像を形成する画像形成装置に設けられ、感光体を露光する露光装置において、
前記感光体の移動する向きに平行な複数の列ごとに設けられた複数のデータ電極と、
複数の行ごとに設けられた複数の選択電極と、
前記データ電極と前記選択電極の各交差部において前記データ電極と前記選択電極との間に挟まれた複数のエレクトロルミネッセンス層を有するＥＬ素子と、を備え、
記録媒体の画像形成中に前記複数の選択電極のうち何れか所定列の選択電極が指定されるとともに他の列の選択電極が非指定とされ、指定された選択電極に接続された列のＥＬ素子のみによって１つの記録媒体の画像形成を行い、画像形成が終了する度に、選択電極の指定が他の列の選択電極に切り換えられることを特徴とする露光装置。
【請求項２】
記録媒体に画像を形成する画像形成装置に設けられ、感光体を露光する露光装置において、
前記感光体の移動する向きに平行な複数の列ごとに設けられた複数のデータ電極と、
複数の行ごとに設けられた複数の選択電極と、
前記データ電極と前記選択電極の各交差部において前記データ電極と前記選択電極との間に挟まれた複数のエレクトロルミネッセンス層を有するＥＬ素子と、を備え、
記録媒体の画像形成中に前記複数の選択電極のうち何れか一列の選択電極が指定され、指定された選択電極に接続された列のＥＬ素子のみによって複数の記録媒体の画像形成を行い、複数の記録媒体の画像形成が終了する度に、選択電極の指定が他の列の選択電極に切り換えられることを特徴とする露光装置。
【請求項３】
記録媒体に画像を形成する画像形成装置に設けられ、感光体を露光する露光装置において、
前記感光体の移動する向きに平行な複数の列ごとに設けられた複数のデータ電極と、
複数の行ごとに設けられた複数の選択電極と、
前記データ電極と前記選択電極の各交差部において前記データ電極と前記選択電極との間に挟まれた複数のエレクトロルミネッセンス層を有するＥＬ素子と、を備え、
記録媒体の画像形成中に前記複数の選択電極のうち何れか所定列の選択電極が指定されるとともに他の列の選択電極が非指定とされ、指定された選択電極に接続された列のＥＬ素子のみによって記録媒体の画像形成を行い、
所定期間の内に所定個数の記録媒体の画像形成が終了する度に、選択電極の指定が他の列の選択電極に切り換えられることを特徴とする露光装置。
【請求項４】
記録媒体に画像を形成する画像形成装置に設けられ、感光体を露光する露光装置において、
前記感光体の移動する向きに平行な複数の列ごとに設けられた複数のデータ電極と、
複数の行ごとに設けられた複数の選択電極と、
前記データ電極と前記選択電極の各交差部において前記データ電極と前記選択電極との間に挟まれた複数のエレクトロルミネッセンス層を有するＥＬ素子と、を備え、
記録媒体の画像形成中に前記複数の選択電極のうち何れか所定列の選択電極が指定されるとともに他の列の選択電極が非指定とされ、指定された選択電極に接続された列のＥＬ素子のみによって記録媒体の画像形成を行い、
指定されている選択電極に対応するＥＬ素子が所定温度になると、選択電極の指定が他の列の選択電極に切り換えられることを特徴とする露光装置。
【請求項５】
指定されている選択電極に重なったＥＬ素子が所定温度になるタイミングが記録媒体の画像形成中である場合に、当該記録媒体の画像形成終了後に、選択電極の指定が他の列の選択電極に切り換えられることを特徴とする請求項４に記載の露光装置。
【請求項６】
記録媒体に画像を形成する画像形成装置に設けられ、感光体を露光する露光装置において、
前記感光体の移動する向きに平行な複数の列ごとに設けられた複数のデータ電極と、
複数の行ごとに設けられた複数の選択電極と、
前記データ電極と前記選択電極の各交差部において前記データ電極と前記選択電極との間に挟まれた複数のエレクトロルミネッセンス層を有するＥＬ素子と、を備え、
記録媒体の画像形成中に前記複数の選択電極のうち何れか所定列の選択電極が指定されるとともに他の列の選択電極が非指定とされ、指定された選択電極に接続された列のＥＬ素子のみによって記録媒体の画像形成を行い、
前記前記ＥＬ素子に流れる印加電流が、前記ＥＬ素子の経時劣化によって所定の値に減少したら、選択電極の指定が他の列の選択電極に切り換えられることを特徴とする露光装置。
【請求項７】
前記複数のデータ電極に印加される印加電流が所定の値に減少するタイミングが記録媒体の画像形成中である場合に、当該記録媒体の画像形成終了後に、選択電極の指定が他の列の選択電極に切り換えられることを特徴とする請求項６に記載の露光装置。
【請求項８】
記録媒体に画像を形成する画像形成装置に設けられ、感光体を露光する露光装置において、
前記感光体の移動する向きに平行な複数の列ごとに設けられた複数のデータ電極と、
複数の行ごとに設けられた複数の選択電極と、
前記データ電極と前記選択電極の各交差部において前記データ電極と前記選択電極との間に挟まれた複数のエレクトロルミネッセンス層を有するＥＬ素子と、を備え、
記録媒体の画像形成中に前記複数の選択電極のうち何れか所定列の選択電極が指定されるとともに他の列の選択電極が非指定とされ、指定された選択電極に接続された列のＥＬ素子のみによって記録媒体の画像形成を行い、
前記ＥＬ素子に印加される印加電圧が、前記ＥＬ素子の経時劣化によって所定の値に増加したら、選択電極の指定が他の列の選択電極に切り換えられることを特徴とする露光装置。
【請求項９】
前記複数のデータ電極に印加される印加電圧が所定の値に増加するタイミングが記録媒体の画像形成中である場合に、当該記録媒体の画像形成終了後に、選択電極の指定が他の列の選択電極に切り換えられることを特徴とする請求項８に記載の露光装置。
【請求項１０】
記録媒体に画像を形成する画像形成装置に設けられ、感光体を露光する露光装置において、
前記感光体の移動する向きに平行な複数の列ごとに設けられた複数のデータ電極と、
複数の行ごとに設けられた複数の選択電極と、
前記データ電極と前記選択電極の各交差部において前記データ電極と前記選択電極との間に挟まれた複数のエレクトロルミネッセンス層を有するＥＬ素子と、を備え、
記録媒体の画像形成中に前記複数の選択電極のうち何れか所定列の選択電極が指定されるとともに他の列の選択電極が非指定とされ、指定された選択電極に接続された列のＥＬ素子のみによって記録媒体の画像形成を行い、
前記画像形成装置が起動する度に、選択電極の指定が他の列の選択電極に切り換えられることを特徴とする露光装置。
【請求項１１】
前記データ電極には、複数のトランジスタからなる点灯駆動回路が接続されることを特徴とする請求項１から１０の何れか一項に記載の露光装置。
【請求項１２】
感光体と、
請求項１から１１の何れか一項に記載の露光装置と、を備えることを特徴とする画像形成装置。
【請求項１３】
記録媒体に画像を形成する画像形成装置に設けられ、感光体を露光する露光装置の動作方法において、
前記露光装置が、前記感光体の移動する向きに平行な複数の列ごとに設けられた複数のデータ電極と、複数の行ごとに設けられた複数の選択電極と、前記データ電極と前記選択電極の各交差部において前記データ電極と前記選択電極との間に挟まれた複数のエレクトロルミネッセンス層を有するＥＬ素子と、を備え、
記録媒体の画像形成中に前記複数の選択電極のうち何れか所定列の選択電極が指定されるとともに他の列の選択電極が非指定とされ、指定された選択電極に接続された列のＥＬ素子のみによって記録媒体の画像形成を行い、
１つの記録媒体の画像形成が終了する度に、選択電極の指定が他の列の選択電極に切り換えられることを特徴とする露光装置の動作方法。
【請求項１４】
記録媒体に画像を形成する画像形成装置に設けられ、感光体を露光する露光装置の動作方法において、
前記露光装置が、前記感光体の移動する向きに平行な複数の列ごとに設けられた複数のデータ電極と、複数の行ごとに設けられた複数の選択電極と、前記データ電極と前記選択電極の各交差部において前記データ電極と前記選択電極との間に挟まれた複数のエレクトロルミネッセンス層を有するＥＬ素子と、を備え、
記録媒体の画像形成中に前記複数の選択電極のうち何れか所定列の選択電極が指定されるとともに他の列の選択電極が非指定とされ、指定された選択電極に接続された列のＥＬ素子のみによって記録媒体の画像形成を行い、
複数の記録媒体の画像形成が終了する度に、選択電極の指定が他の列の選択電極に切り換えられることを特徴とする露光装置の動作方法。
【請求項１５】
記録媒体に画像を形成する画像形成装置に設けられ、感光体を露光する露光装置の動作方法において、
前記露光装置が、前記感光体の移動する向きに平行な複数の列ごとに設けられた複数のデータ電極と、複数の行ごとに設けられた複数の選択電極と、前記データ電極と前記選択電極の各交差部において前記データ電極と前記選択電極との間に挟まれた複数のエレクトロルミネッセンス層を有するＥＬ素子と、を備え、
記録媒体の画像形成中に前記複数の選択電極のうち何れか所定列の選択電極が指定されるとともに他の列の選択電極が非指定とされ、指定された選択電極に接続された列のＥＬ素子のみによって記録媒体の画像形成を行い、
所定期間の内に所定個数の記録媒体の画像形成が終了する度に、選択電極の指定が他の列の選択電極に切り換えられることを特徴とする露光装置の動作方法。
【請求項１６】
記録媒体に画像を形成する画像形成装置に設けられ、感光体を露光する露光装置の動作方法において、
前記露光装置が、前記感光体の移動する向きに平行な複数の列ごとに設けられた複数のデータ電極と、複数の行ごとに設けられた複数の選択電極と、前記データ電極と前記選択電極の各交差部において前記データ電極と前記選択電極との間に挟まれた複数のエレクトロルミネッセンス層を有するＥＬ素子と、を備え、
記録媒体の画像形成中に前記複数の選択電極のうち何れか所定列の選択電極が指定されるとともに他の列の選択電極が非指定とされ、指定された選択電極に接続された列のＥＬ素子のみによって記録媒体の画像形成を行い、
指定されている選択電極に重なったエレクトロルミネッセンス層が所定温度になると、選択電極の指定が他の列の選択電極に切り換えられることを特徴とする露光装置の動作方法。
【請求項１７】
記録媒体に画像を形成する画像形成装置に設けられ、感光体を露光する露光装置の動作方法において、
前記露光装置が、前記感光体の移動する向きに平行な複数の列ごとに設けられた複数のデータ電極と、複数の行ごとに設けられた複数の選択電極と、前記データ電極と前記選択電極の各交差部において前記データ電極と前記選択電極との間に挟まれた複数のエレクトロルミネッセンス層を有するＥＬ素子と、を備え、
記録媒体の画像形成中に前記複数の選択電極のうち何れか所定列の選択電極が指定されるとともに他の列の選択電極が非指定とされ、指定された選択電極に接続された列のＥＬ素子のみによって記録媒体の画像形成を行い、
前記前記ＥＬ素子に流れる印加電流が、前記ＥＬ素子の経時劣化によって所定の値に減少したら、指定される選択電極が他の列の選択電極に切り換えられることを特徴とする露光装置の動作方法。
【請求項１８】
記録媒体に画像を形成する画像形成装置に設けられ、感光体を露光する露光装置の動作方法において、
前記露光装置が、前記感光体の移動する向きに平行な複数の列ごとに設けられた複数のデータ電極と、複数の行ごとに設けられた複数の選択電極と、前記データ電極と前記選択電極の各交差部において前記データ電極と前記選択電極との間に挟まれた複数のエレクトロルミネッセンス層を有するＥＬ素子と、を備え、
記録媒体の画像形成中に前記複数の選択電極のうち何れか所定列の選択電極が指定されるとともに他の列の選択電極が非指定とされ、指定された選択電極に接続された列のＥＬ素子のみによって記録媒体の画像形成を行い、
前記ＥＬ素子に印加される印加電圧が、前記ＥＬ素子の経時劣化によって所定の値に増加したら、選択電極の指定が他の列の選択電極に切り換えられることを特徴とする露光装置の動作方法。
【請求項１９】
記録媒体に画像を形成する画像形成装置に設けられ、感光体を露光する露光装置の動作方法において、
前記露光装置が、前記感光体の移動する向きに平行な複数の列ごとに設けられた複数のデータ電極と、複数の行ごとに設けられた複数の選択電極と、前記データ電極と前記選択電極の各交差部において前記データ電極と前記選択電極との間に挟まれた複数のエレクトロルミネッセンス層を有するＥＬ素子と、を備え、
記録媒体の画像形成中に前記複数の選択電極のうち何れか所定列の選択電極が指定されるとともに他の列の選択電極が非指定とされ、指定された選択電極に接続された列のＥＬ素子のみによって記録媒体の画像形成を行い、
前記画像形成装置が起動する度に、選択電極の指定が他の列の選択電極に切り換えられることを特徴とする露光装置の動作方法。
【発明の詳細な説明】
【技術分野】
【０００１】
本発明は、記録媒体に画像を形成する画像形成装置、画像形成装置の感光体を露光する露光装置及び露光装置の動作方法に関する。
【背景技術】
【０００２】
ページプリンタは、回転する感光体ドラムの母線に沿って露光装置により露光して感光体ドラムの周面に静電潜像を形成し、感光体ドラムにトナー付着させて静電潜像を顕在化させ、感光体ドラムの像を紙に転写するものである。
【０００３】
一般的な露光装置は、回転するポリゴンレンズでレーザビームをラインに沿って点順次に走査していくことで、感光体ドラムに潜像を形成するものである。また、有機ＥＬ（Electroluminescent：エレクトロルミネッセント）素子を一列に配列させた露光装置も考えられている。有機ＥＬ素子はＬＥＤ等のような他の発光素子と比較して寿命・発光強度・露光時間について問題がある。つまり、有機ＥＬ素子の発光強度を強くすると露光時間が短くなって高速に画像形成することができるが、有機ＥＬ素子の寿命が短くなるという問題があり、一方、有機ＥＬ素子の発光強度を弱くすると、有機ＥＬ素子の寿命が延びるが、露光時間が長くなって画像形成に要する時間が延びてしまう。
【０００４】
そこで、有機ＥＬ素子を複数列に配列し、複数の有機ＥＬ素子で多重露光することにより１ドット分の画素を形成する露光装置が提案されている（特許文献１、特許文献２参照）。つまり、或る列の有機ＥＬ素子で１ライン分の像の露光を紙に対して行い、紙を移動させてそのラインが次列に到達するタイミングで当該次列の有機ＥＬ素子で再び１ラインの像の露光を重ねて紙に行い、これにより１ドット分の画素が多重露光により形成される。
【特許文献１】特開２００３−３４１１４０号公報
【特許文献２】特開２００３−３４１１４１号公報
【発明の開示】
【発明が解決しようとする課題】
【０００５】
しかしながら、紙の１ラインが或る列の有機ＥＬ素子から次列の有機ＥＬ素子に到達するタイミングと、当該次列の有機ＥＬ素子が発光するタイミングを同期させなければならないが、その同期が非常に難しい。特に、或る列から次列に発光データを転送するためのシフトレジスタ等といった複雑な回路を露光装置に搭載しなければならない。そのため、露光装置の構造が複雑であり、露光装置が高価であるという問題がある。
【０００６】
そこで、本発明は、上記のような問題点を解決しようとしてなされたものであり、安価であって簡単な構造な露光装置を提供することを目的とする。
【課題を解決するための手段】
【０００７】
以上の課題を解決するために、請求項１に係る発明は、
記録媒体に画像を形成する画像形成装置に設けられ、感光体を露光する露光装置において、
前記感光体の移動する向きに平行な複数の列ごとに設けられた複数のデータ電極と、
複数の行ごとに設けられた複数の選択電極と、
前記データ電極と前記選択電極の各交差部において前記データ電極と前記選択電極との間に挟まれた複数のエレクトロルミネッセンス層を有するＥＬ素子と、を備え、
記録媒体の画像形成中に前記複数の選択電極のうち何れか所定列の選択電極が指定されるとともに他の列の選択電極が非指定とされ、指定された選択電極に接続された列のＥＬ素子のみによって１つの記録媒体の画像形成を行い、画像形成が終了する度に、選択電極の指定が他の列の選択電極に切り換えられることを特徴とする。
【０００８】
請求項２に係る発明は、
記録媒体に画像を形成する画像形成装置に設けられ、感光体を露光する露光装置において、
前記感光体の移動する向きに平行な複数の列ごとに設けられた複数のデータ電極と、
複数の行ごとに設けられた複数の選択電極と、
前記データ電極と前記選択電極の各交差部において前記データ電極と前記選択電極との間に挟まれた複数のエレクトロルミネッセンス層を有するＥＬ素子と、を備え、
記録媒体の画像形成中に前記複数の選択電極のうち何れか一列の選択電極が指定され、指定された選択電極に接続された列のＥＬ素子のみによって複数の記録媒体の画像形成を行い、複数の記録媒体の画像形成が終了する度に、選択電極の指定が他の列の選択電極に切り換えられることを特徴とする。
【０００９】
請求項３に係る発明は、
記録媒体に画像を形成する画像形成装置に設けられ、感光体を露光する露光装置において、
前記感光体の移動する向きに平行な複数の列ごとに設けられた複数のデータ電極と、
複数の行ごとに設けられた複数の選択電極と、
前記データ電極と前記選択電極の各交差部において前記データ電極と前記選択電極との間に挟まれた複数のエレクトロルミネッセンス層を有するＥＬ素子と、を備え、
記録媒体の画像形成中に前記複数の選択電極のうち何れか所定列の選択電極が指定されるとともに他の列の選択電極が非指定とされ、指定された選択電極に接続された列のＥＬ素子のみによって記録媒体の画像形成を行い、
所定期間の内に所定個数の記録媒体の画像形成が終了する度に、選択電極の指定が他の列の選択電極に切り換えられることを特徴とする。
【００１０】
請求項４に係る発明は、
記録媒体に画像を形成する画像形成装置に設けられ、感光体を露光する露光装置において、
前記感光体の移動する向きに平行な複数の列ごとに設けられた複数のデータ電極と、
複数の行ごとに設けられた複数の選択電極と、
前記データ電極と前記選択電極の各交差部において前記データ電極と前記選択電極との間に挟まれた複数のエレクトロルミネッセンス層を有するＥＬ素子と、を備え、
記録媒体の画像形成中に前記複数の選択電極のうち何れか所定列の選択電極が指定されるとともに他の列の選択電極が非指定とされ、指定された選択電極に接続された列のＥＬ素子のみによって記録媒体の画像形成を行い、
指定されている選択電極に対応するＥＬ素子が所定温度になると、選択電極の指定が他の列の選択電極に切り換えられることを特徴とする。
【００１１】
請求項５に係る発明は、請求項４に記載の露光装置において、
指定されている選択電極に重なったＥＬ素子が所定温度になるタイミングが記録媒体の画像形成中である場合に、当該記録媒体の画像形成終了後に、選択電極の指定が他の列の選択電極に切り換えられることを特徴とする。
【００１２】
請求項６に係る発明は、
記録媒体に画像を形成する画像形成装置に設けられ、感光体を露光する露光装置において、
前記感光体の移動する向きに平行な複数の列ごとに設けられた複数のデータ電極と、
複数の行ごとに設けられた複数の選択電極と、
前記データ電極と前記選択電極の各交差部において前記データ電極と前記選択電極との間に挟まれた複数のエレクトロルミネッセンス層を有するＥＬ素子と、を備え、
記録媒体の画像形成中に前記複数の選択電極のうち何れか所定列の選択電極が指定されるとともに他の列の選択電極が非指定とされ、指定された選択電極に接続された列のＥＬ素子のみによって記録媒体の画像形成を行い、
前記前記ＥＬ素子に流れる印加電流が、前記ＥＬ素子の経時劣化によって所定の値に減少したら、選択電極の指定が他の列の選択電極に切り換えられることを特徴とする。
【００１３】
請求項７に係る発明は、請求項６に記載の露光装置において、
前記複数のデータ電極に印加される印加電流が所定の値に減少するタイミングが記録媒体の画像形成中である場合に、当該記録媒体の画像形成終了後に、選択電極の指定が他の列の選択電極に切り換えられることを特徴とする。
【００１４】
請求項８に係る発明は、
記録媒体に画像を形成する画像形成装置に設けられ、感光体を露光する露光装置において、
前記感光体の移動する向きに平行な複数の列ごとに設けられた複数のデータ電極と、
複数の行ごとに設けられた複数の選択電極と、
前記データ電極と前記選択電極の各交差部において前記データ電極と前記選択電極との間に挟まれた複数のエレクトロルミネッセンス層を有するＥＬ素子と、を備え、
記録媒体の画像形成中に前記複数の選択電極のうち何れか所定列の選択電極が指定されるとともに他の列の選択電極が非指定とされ、指定された選択電極に接続された列のＥＬ素子のみによって記録媒体の画像形成を行い、
前記ＥＬ素子に印加される印加電圧が、前記ＥＬ素子の経時劣化によって所定の値に増加したら、選択電極の指定が他の列の選択電極に切り換えられることを特徴とする。
【００１５】
請求項９に係る発明は、請求項８に記載の露光装置において、
前記複数のデータ電極に印加される印加電圧が所定の値に増加するタイミングが記録媒体の画像形成中である場合に、当該記録媒体の画像形成終了後に、選択電極の指定が他の列の選択電極に切り換えられることを特徴とする。
【００１６】
請求項１０に係る発明は、
記録媒体に画像を形成する画像形成装置に設けられ、感光体を露光する露光装置において、
前記感光体の移動する向きに平行な複数の列ごとに設けられた複数のデータ電極と、
複数の行ごとに設けられた複数の選択電極と、
前記データ電極と前記選択電極の各交差部において前記データ電極と前記選択電極との間に挟まれた複数のエレクトロルミネッセンス層を有するＥＬ素子と、を備え、
記録媒体の画像形成中に前記複数の選択電極のうち何れか所定列の選択電極が指定されるとともに他の列の選択電極が非指定とされ、指定された選択電極に接続された列のＥＬ素子のみによって記録媒体の画像形成を行い、
前記画像形成装置が起動する度に、選択電極の指定が他の列の選択電極に切り換えられることを特徴とする。
【００１７】
請求項１１に係る発明は、請求項１から１０の何れか一項に記載の露光装置において、
前記データ電極には、複数のトランジスタからなる点灯駆動回路が接続されることを特徴とする。
【００１８】
請求項１２に係る発明は、画像形成装置において、
感光体と、
請求項１から１１の何れか一項に記載の露光装置と、を備えることを特徴とする。
【００１９】
請求項１３に係る発明は、
記録媒体に画像を形成する画像形成装置に設けられ、感光体を露光する露光装置の動作方法において、
前記露光装置が、前記感光体の移動する向きに平行な複数の列ごとに設けられた複数のデータ電極と、複数の行ごとに設けられた複数の選択電極と、前記データ電極と前記選択電極の各交差部において前記データ電極と前記選択電極との間に挟まれた複数のエレクトロルミネッセンス層を有するＥＬ素子と、を備え、
記録媒体の画像形成中に前記複数の選択電極のうち何れか所定列の選択電極が指定されるとともに他の列の選択電極が非指定とされ、指定された選択電極に接続された列のＥＬ素子のみによって記録媒体の画像形成を行い、
１つの記録媒体の画像形成が終了する度に、選択電極の指定が他の列の選択電極に切り換えられることを特徴とする。
【００２０】
請求項１４に係る発明は、
記録媒体に画像を形成する画像形成装置に設けられ、感光体を露光する露光装置の動作方法において、
前記露光装置が、前記感光体の移動する向きに平行な複数の列ごとに設けられた複数のデータ電極と、複数の行ごとに設けられた複数の選択電極と、前記データ電極と前記選択電極の各交差部において前記データ電極と前記選択電極との間に挟まれた複数のエレクトロルミネッセンス層を有するＥＬ素子と、を備え、
記録媒体の画像形成中に前記複数の選択電極のうち何れか所定列の選択電極が指定されるとともに他の列の選択電極が非指定とされ、指定された選択電極に接続された列のＥＬ素子のみによって記録媒体の画像形成を行い、
複数の記録媒体の画像形成が終了する度に、選択電極の指定が他の列の選択電極に切り換えられることを特徴とする。
【００２１】
請求項１５に係る発明は、
記録媒体に画像を形成する画像形成装置に設けられ、感光体を露光する露光装置の動作方法において、
前記露光装置が、前記感光体の移動する向きに平行な複数の列ごとに設けられた複数のデータ電極と、複数の行ごとに設けられた複数の選択電極と、前記データ電極と前記選択電極の各交差部において前記データ電極と前記選択電極との間に挟まれた複数のエレクトロルミネッセンス層を有するＥＬ素子と、を備え、
記録媒体の画像形成中に前記複数の選択電極のうち何れか所定列の選択電極が指定されるとともに他の列の選択電極が非指定とされ、指定された選択電極に接続された列のＥＬ素子のみによって記録媒体の画像形成を行い、
所定期間の内に所定個数の記録媒体の画像形成が終了する度に、選択電極の指定が他の列の選択電極に切り換えられることを特徴とする。
【００２２】
請求項１６に係る発明は、
記録媒体に画像を形成する画像形成装置に設けられ、感光体を露光する露光装置の動作方法において、
前記露光装置が、前記感光体の移動する向きに平行な複数の列ごとに設けられた複数のデータ電極と、複数の行ごとに設けられた複数の選択電極と、前記データ電極と前記選択電極の各交差部において前記データ電極と前記選択電極との間に挟まれた複数のエレクトロルミネッセンス層を有するＥＬ素子と、を備え、
記録媒体の画像形成中に前記複数の選択電極のうち何れか所定列の選択電極が指定されるとともに他の列の選択電極が非指定とされ、指定された選択電極に接続された列のＥＬ素子のみによって記録媒体の画像形成を行い、
指定されている選択電極に重なったエレクトロルミネッセンス層が所定温度になると、選択電極の指定が他の列の選択電極に切り換えられることを特徴とする。
【００２３】
請求項１７に係る発明は、
記録媒体に画像を形成する画像形成装置に設けられ、感光体を露光する露光装置の動作方法において、
前記露光装置が、前記感光体の移動する向きに平行な複数の列ごとに設けられた複数のデータ電極と、複数の行ごとに設けられた複数の選択電極と、前記データ電極と前記選択電極の各交差部において前記データ電極と前記選択電極との間に挟まれた複数のエレクトロルミネッセンス層を有するＥＬ素子と、を備え、
記録媒体の画像形成中に前記複数の選択電極のうち何れか所定列の選択電極が指定されるとともに他の列の選択電極が非指定とされ、指定された選択電極に接続された列のＥＬ素子のみによって記録媒体の画像形成を行い、
前記前記ＥＬ素子に流れる印加電流が、前記ＥＬ素子の経時劣化によって所定の値に減少したら、指定される選択電極が他の列の選択電極に切り換えられることを特徴とする。
【００２４】
請求項１８に係る発明は、
記録媒体に画像を形成する画像形成装置に設けられ、感光体を露光する露光装置の動作方法において、
前記露光装置が、前記感光体の移動する向きに平行な複数の列ごとに設けられた複数のデータ電極と、複数の行ごとに設けられた複数の選択電極と、前記データ電極と前記選択電極の各交差部において前記データ電極と前記選択電極との間に挟まれた複数のエレクトロルミネッセンス層を有するＥＬ素子と、を備え、
記録媒体の画像形成中に前記複数の選択電極のうち何れか所定列の選択電極が指定されるとともに他の列の選択電極が非指定とされ、指定された選択電極に接続された列のＥＬ素子のみによって記録媒体の画像形成を行い、
前記ＥＬ素子に印加される印加電圧が、前記ＥＬ素子の経時劣化によって所定の値に増加したら、選択電極の指定が他の列の選択電極に切り換えられることを特徴とする。
【００２５】
請求項１９に係る発明は、
記録媒体に画像を形成する画像形成装置に設けられ、感光体を露光する露光装置の動作方法において、
前記露光装置が、前記感光体の移動する向きに平行な複数の列ごとに設けられた複数のデータ電極と、複数の行ごとに設けられた複数の選択電極と、前記データ電極と前記選択電極の各交差部において前記データ電極と前記選択電極との間に挟まれた複数のエレクトロルミネッセンス層を有するＥＬ素子と、を備え、
記録媒体の画像形成中に前記複数の選択電極のうち何れか所定列の選択電極が指定されるとともに他の列の選択電極が非指定とされ、指定された選択電極に接続された列のＥＬ素子のみによって記録媒体の画像形成を行い、
前記画像形成装置が起動する度に、選択電極の指定が他の列の選択電極に切り換えられることを特徴とする。
【発明の効果】
【００２６】
本発明によれば、記録媒体の画像形成中に前記複数の選択電極のうち何れか所定列の選択電極が指定されるとともに他の列の選択電極が非指定とされ、指定された選択電極に接続された列のＥＬ素子のみによって記録媒体の画像形成を行うので、指定されていない選択電極に接続された列のＥＬ素子は発光しないので発光による劣化がない。
所定のタイミングにおいて、選択電極の指定を他の列の選択電極に切り換えるので、ＥＬ素子の発光輝度の低下を抑制でき、長期にわたって露光することができる。
また、不良のＥＬ素子が発生しても、その不良のＥＬ素子に接続された選択電極を指定せずに他の列の選択電極を指定して、露光をすることが可能であるため、歩留改善に繋がる。
【発明を実施するための最良の形態】
【００２７】
以下に、本発明を実施するための最良の形態について図面を用いて説明する。但し、以下に述べる実施形態には、本発明を実施するために技術的に好ましい種々の限定が付されているが、発明の範囲を以下の実施形態及び図示例に限定するものではない。また、以下の説明において、エレクトロルミネッセント（Electroluminescent）という用語をＥＬと略称する。
【００２８】
〔第一の実施の形態〕
図１には、画像形成装置１の概略図が示されている。
画像形成装置１は、感光体ドラム２と、帯電ローラ３と、結像光学系４と、現像器５と、現像ローラ６と、転写ローラ７と、定着ローラ８，９と、クリーナ１０と、イレーサ光源１１と、搬送ベルト１２と、ＬＳＩチップ１３と、露光パネル２０とを備える。
【００２９】
搬送ベルト１２は感光体ドラム２と転写ローラ７との間に挟まれているとともに、定着ローラ８と定着ローラ９との間に挟まれている。搬送ベルト１２が矢印Ｚの方向に移動することで、搬送ベルト１２に載置された紙９９は矢印Ｚの方向に搬送される。紙９９は、この画像形成装置１によって画像が形成される記録媒体である。
【００３０】
感光体ドラム２の周面に光半導体層が形成されていることで、感光体ドラム２の周面に電荷が蓄えられるとともに、感光体ドラム２の周面に光が照射すると電荷が除去される。帯電ローラ３は、感光体ドラム２の周面に帯電させるものである。露光パネル２０の詳細については後述するが、露光パネル２０が発光することによって感光体ドラム２の軸方向に平行な線状の像が露光パネル２０に現れる。結像光学系４はロッドレンズ（グリンレンズ）を感光体ドラム２の母線に沿ってアレイ状に配列したものであり、露光パネル２０の像を感光体ドラム２に対して正立等倍に結像するものである。また、露光パネル２０にはＬＳＩチップ１３がフィルム基板に接続され、この露光パネル２０及び結像光学系４がハウジング１４に搭載され、これらがユニット化されている。
【００３１】
感光体ドラム２が露光パネル２０及び結像光学系４によって母線に沿って露光されることによって、帯電後の感光体ドラム２の周面に蓄えられた電荷が部分的に除去される。感光体ドラム２の母線に沿った静電潜像が形成される。現像器５には、電荷を帯びたトナーと呼ばれる着色微粒子が貯蓄されている。現像ローラ６は、露光後の感光体ドラム２に形成された静電潜像を現像するものである。即ち、トナーが現像器５内にて現像ローラ６に付着し、現像ローラ６に付着したトナーは感光体ドラム２に付着する。ここで、感光体ドラム２の帯電した部分（つまり、光の照射しなかった部分）にはトナーが反発することで付着せず、感光体ドラム２の除電した部分（つまり、光の照射した部分）にトナーが付着し、これにより、感光体ドラム２の静電潜像が顕在化される。転写ローラ７は感光体ドラム２に圧接されており、感光体ドラム２と転写ローラ７との間に挟まれた紙９９に、感光体ドラム２の周面に現像された像が転写される。つまり、矢印Ｚの方向に搬送されている紙９９が転写ローラ７によって感光体ドラム２に押し当てられることで、更に、転写ローラ７がトナーを引き寄せるように帯電することで、感光体ドラム２に付着したトナーが紙９９に付着する。クリーナ１０は、転写後の感光体ドラム２に残留したトナーを除去するものである。定着ローラ８，９は、転写後に紙９９を挟み込んで紙９９に加熱することによって、紙９９に静電付着したトナーを紙９９に定着するものである。イレーサ光源１１は、トナー除去後の回転している感光体ドラム２の母線に沿って光を照射することによって感光体ドラム２の母線全体の帯電を除去するものである。
【００３２】
図２及び図３を用いて、露光パネル２０について詳細に説明する。図２は露光パネル２０の平面図であり、図３は図２の切断線III−IIIに沿った面の矢視断面図である。
基板２１は透明な材料かなるものである。基板２１は例えば透明ガラス基板、透明樹脂基板である。基板２１の一方の面２２が出射面であり、その面２２が結像光学系４の光軸に対して直交し、その面２２が結像光学系４による物体面となり、感光体ドラム２の母線が結像光学系４による結像面となる。
【００３３】
基板２１の他方の面２３には、複数のデータ電極３０が形成されている。これらデータ電極３０は、ＩＴＯ（錫ドープ酸化インジウム）等からなる透明な電極である。データ電極３０は感光体ドラム２の移動する向きＸ（感光体ドラム２の軸に直交する向き）である行方向に延在するように帯状に設けられ、これらデータ電極３０は感光体ドラム２の軸に平行な方向、つまり列方向に互いに等間隔で離間するように並んで配列されている。これらデータ電極３０は各画素においてアノードとなる電極である。データ電極３０の数は、７０００〜１５０００本である。
【００３４】
基板２１上には、各データ電極３０上に複数の箇所（図中３箇所）開口部６１が設けられている絶縁膜６０が被膜されている。各データ電極３０は、基板２１の列方向に沿う一辺において、データ電極３０の端子３１が絶縁膜６０から露出している。
【００３５】
絶縁膜６０の上には、それぞれ列方向に沿った複数の開口部６１を跨るように複数の選択電極４０が設けられ、これら選択電極４０は感光体ドラム２の軸に直交する方向に延在している。このように選択電極４０はデータ電極３０の延在方向（行方向）に並んで等間隔で３本配列されている。そして、平面視して、つまり、結像光学系４の軸方向に見て、これら選択電極４０はデータ電極３０と直交している。この選択電極４０とデータ電極３０と交差する箇所は後述する有機ＥＬ素子５２になり、露光パネル２０には、これら有機ＥＬ素子５２が３列×７０００〜１５０００行のマトリクス状に配列されていることになる。
【００３６】
各選択電極４０は、それぞれ絶縁膜６０上で列方向に沿って延在する部分と、列方向の部分の一端において行方向に延在する部分と、を有し、行方向に延在する部分の末端は、それぞれ絶縁膜６０に設けられた複数のコンタクトホール４２を埋設している。
データ電極３０と同じ透明導電膜をパターニングして得られる複数の引出配線４１が基板２１上に選択電極４０と同じ本数設けられている。各引出配線４１は、一端が絶縁膜６０に設けられた複数のコンタクトホール４２に対応する位置に配置され、他端がデータ電極３０の端子３１と同様に絶縁膜６０から露出するとともに基板２１の列方向に沿う一辺に配置するように設けられている。このため、各選択電極４０は、複数のコンタクトホール４２を介して対応する引出配線４１と接続している。
【００３７】
選択電極４０は、データ電極３０よりも仕事関数の低い材料で形成されており、例えば、マグネシウム、カルシウム、リチウム、バリウム、希土類金属の少なくとも一種を含む単体又は合金で形成されている。また、選択電極４０は、上記各種材料の層が積層された積層構造となっていても良いし、以上の各種材料の層に加えてより高仕事関数の金属層が堆積した積層構造となっていても良い。積層構造の具体例としては、選択電極４０の下層側が低仕事関数の高純度のバリウム層又はリチウム層であり、選択電極４０の上層側がそのバリウム層又はリチウム層を被覆した高仕事関数のアルミニウム又はアルミニウム合金を含む層である。これら選択電極４０は各画素においてカソードとなる電極である。図面において、選択電極４０の数が３本であるが、２本であっても良いし、４本以上であっても良い。
【００３８】
平面視してデータ電極３０と選択電極４０との各交差部において絶縁膜６０の開口部６１が絶縁膜６０に形成されている。各開口部６１にエレクトロルミネッセンス層５０が埋設され、エレクトロルミネッセンス層５０がデータ電極３０と選択電極４０との間に挟まれて有機ＥＬ素子５２を形成している。
【００３９】
エレクトロルミネッセンス層（以下、ＥＬ層という）５０には、有機化合物である発光材料（蛍光体）が含有されているが、発光材料は高分子系材料であっても良いし、低分子系材料であっても良い。層５０は単層であっても良いし、複数の層の積層構造であっても良い。ＥＬ層５０が積層構造の場合、特に限定される必要はないが、下から順に正孔輸送層、発光層、電子輸送層となる三層構造であっても良いし、下から順に正孔輸送層、発光層となる二層構造であっても良いし、これらの層構造において適切な層間に電子或いは正孔の注入層が介在した構造であっても良い。
【００４０】
ＥＬ層５０はその下層のデータ電極３０がその上層の選択電極４０よりも高電位になって、内部に電子と正孔がそれぞれ輸送された場合に発光する層であり、そのＥＬ層５０の発光強度は流れる電流に相関する。
【００４１】
絶縁膜６０上であって開口部６１の周りには、残留層５１が形成されている。残留層５１はデータ電極３０と選択電極４０との間に挟まれていない、或いは絶縁膜６０が介在しているので発光しないが、ＥＬ層５０と同じ成分である。各開口部６１が形成された絶縁膜６０に残留層５１をコーティングにより成膜するのと同時に、各開口部６１にＥＬ層５０が埋まって、これらＥＬ層５０がマトリックス状にパターニングされる。残留層５１はＥＬ層５０と連続であっても、不連続であってもよい。なお、インクジェット法（液滴吐出法）によって有機化合物含有液（ＥＬ層５０の原料を溶媒に溶解させたもの）を液滴として各開口部６１に吐出して、各ＥＬ層５０をパターニングする場合には、残留層５１は形成されていない。
【００４２】
残留層５１及び複数の選択電極４０は水、酸素を封止する無機材料、有機材料の少なくともいずれかを含む封止材７０によって被覆され、封止材７０の上から封止板８０が被覆している。
【００４３】
なお、基板２１の面２２が結像光学系４の入射部に対向しているが、反対側の封止板８０の表面８１が結像光学系４の入射部に対向しても良い。この場合、選択電極４０、封止材７０及び封止板８０が透明であり、封止板８０の表面８１が出射面となる。選択電極４０は、上述した低仕事関数の材料を１〜１０ｎｍ程度に薄く被膜した後、その上にＩＴＯ等の透明導電膜を５０ｎｍ以上堆積することによって全体として透明とすることができる。このとき、データ電極３０は、反射性の導電膜を含むことが好ましく、光反射性のアルミニウム又はアルミニウム合金を含む層の上に、ＩＴＯ等の透明導電膜を被膜した構造であってもよい。
【００４４】
また、データ電極３０がアノードであり、選択電極４０がカソードであるが、逆にデータ電極３０がカソードであり、選択電極４０がアノードであっても良い。
【００４５】
以上のように、露光パネル２０は複数のデータ電極３０、複数の選択電極４０及び複数のＥＬ層５０等からなるシンプルな構造であり、複雑な回路等も露光パネル２０にパターニングされていない。そのため、安価で製造コストのかからない露光パネル２０を提供することができる。
【００４６】
次に、露光パネル２０の製造方法について説明する。
基板２１の面２３に透明導電性薄膜（例えば、ＩＴＯ膜）を成膜し、それの薄膜をフォトリソグラフィー法・エッチング法により形状加工する。これにより、複数のデータ電極３０と複数の引出配線４１を形成する。その後、レジストを除去する。
【００４７】
続いて、フォトリソグラフィー法によりマスクをした状態でＣＶＤ装置等を用いて絶縁膜６０を堆積し、マスクを除去する。続いて、絶縁膜６０に複数のコンタクトホール４２及び複数の開口部６１を形成する。ここで、各データ電極３０に沿って各データ電極３０の上に複数の開口部６１を形成し、１本のデータ電極３０につき選択電極４０の数だけの開口部６１を一列に配列させ、全体として複数の開口部６１をマトリクス状に配列させる。そのため、開口部６１の数は、データ電極３０の数と選択電極４０の数の積となる。
【００４８】
続いて、メタルマスクを絶縁膜６０の上に被せて、メタルマスクの開口に低分子発光材料を積層することによって、低分子発光材料からなるＥＬ層５０を開口部６１内において埋設し、更に、絶縁膜６０の上に残留層５１を堆積させる。そして、そのメタルマスクを外す。なお、インクジェット法（液滴吐出法）によって有機化合物含有液を液滴として各開口部６１に吐出することによって、各開口部６１にＥＬ層５０を埋設し、残留層５１を形成しなくても良い。
【００４９】
続いて、メタルマスク（複数の選択電極４０に対応する開口が形成されたものである。）を用いて蒸着法を行うことによって、例えばマグネシウム等の低仕事関数の膜を成膜後にアルミニウム合金等の膜を成膜してなる複数の選択電極４０をそれぞれ分離した状態でパターニングし、その後メタルマスクを外す。
【００５０】
続いて、選択電極４０、残留層５１及び絶縁膜６０の上から封止材７０及び封止板８０で封止する。続いて、図示しないフィルム基板によってＬＳＩチップ１３を端子３１及び引出配線４１の上から基板２１に接続し、ＬＳＩチップ１３の端子と端子３１・引出配線４１を接続する。なお、ＬＳＩチップ１３は、基板２１上にＣＯＧ（chip on glass）接合されていてもよい。
【００５１】
以上の露光パネル２０をハウジング１４に搭載し、更に結像光学系４もハウジング１４に搭載し、結像光学系４と露光パネル２０を対向させる。
【００５２】
次に、ＬＳＩチップ１３について図４を用いて説明する。
ＬＳＩチップ１３には駆動制御部１５が内蔵されており、駆動制御部１５はＤＡＣ１７と切換部１６とから構成されている。駆動制御部１５は、本体制御部１８が接続されており、駆動制御部１５は本体制御部１８からの信号によって制御される。
【００５３】
本体制御部１８は印刷画像データに基づき各ピクセルの階調データ信号を作成し、階調データ信号を駆動制御部１５に順次出力する。また、本体制御部１８は、複数の選択電極４０の中から１つを選択するためにクロック信号等の制御信号を駆動制御部１５に出力する。
【００５４】
駆動制御部１５は順次入力されてくる階調データをＤＡＣ１７によってデジタルアナログ変換し、データ電極３０に階調データに応じた発光信号を所定のタイミングで出力する。ここで、階調データは電流の大きさで表したものでも良いし、電圧の大きさで表したものでも良い。ＤＡＣ１７の出力は定電流出力であっても良いし、定電圧出力であっても良い。
【００５５】
また、駆動制御部１５は、本体制御部１８から入力した制御信号により複数の選択電極４０の電圧を切換部１６によって変え、指定された選択電極４０（以下、指定された選択電圧４０を指定選択電極４０という。他の指定されていない選択電極４０を非指定選択電極４０という。）に電流が流れるようにする。ここで、駆動制御部１５は、複数の選択電極４０のうち何れか１つの指定選択電極４０に印加する電圧を他の非指定選択電極４０に印加する電圧と異ならせることによって、その指定選択電極４０を指定する。
【００５６】
具体的には、複数の選択電極４０がカソードの場合、複数の選択電極４０のうち１つの指定選択電極４０に低電位の選択電圧Ｓ（例えば接地電位）を印加してその指定選択電極４０を指定し、他の非選択電極４０には選択電圧Ｓより相対的に高い非選択電圧Ｎを印加してそれら非指定選択電極４０を指定しない。そのため、各データ電極３０に発光信号が印加した際に、指定選択電極４０との間のＥＬ層５０には、発光しきい値を越える電圧がかかり、電流が流れることによって発光するのに対し、非指定選択電極４０と各データ電極３０との間に挟まれたＥＬ層５０の電圧は、発光しきい値を越えないため発光しない。例えば、図５は、選択電極４０が３本の場合に、これらの選択電極４０に印加される電圧を示したタイミングチャートである。図４において、指定期間Ａでは１列目の選択電極４０の電圧が選択電圧Ｓとなっているので、１列目の選択電極４０が指定されており、１列目の選択電極４０と各データ電極３０との間に挟まれたＥＬ層５０が発光する。指定期間Ｂでは、２列目の選択電極４０の電圧が選択電圧Ｓとなっているので、２列目の選択電極４０が指定されている。
【００５７】
一方、複数の選択電極４０がアノードの場合、複数の選択電極４０のうち指定選択電極４０の選択電圧Ｓは高電圧であり、他の非指定選択電極４０には選択電圧Ｓより相対的に低い非選択電圧Ｎを印加する。いずれも選択電圧Ｓはデータ電極３０との間で発光しきい値を越える電圧がＥＬ層５０に生じる電圧であり、非選択電圧Ｎはデータ電極３０との間で発光しきい値を越えない電圧（例えば０Ｖ）がＥＬ層５０に生じる電圧である。
【００５８】
この露光パネル２０においては、指定選択電極４０に重なったＥＬ層５０が、所定の電圧を印加した際の発光輝度が著しく低下した場合、他の選択電極４０を指定すれば、その選択電極４０と各データ電極３０との間に挟まれたＥＬ層５０が発光する。このように指定する選択電極４０を切り換えることで、露光パネル２０の長寿命化を図ることができる。また、発光不良のＥＬ層５０が発生しても、その不良ＥＬ層５０の選択電極５０を指定せずに他の選択電極を指定して、露光をすることが可能であるため、露光パネル２０の歩留改善に繋がる。また、連続発光によってＥＬ層５０が熱を生じ、劣化してしまうことを改善するために、同じ選択電極４０の指定を長期間連続しないように分割してもよい。なお、発光輝度の低下や発光不良を検知するための光学センサが、画像形成装置１に設けられていてもよい。
【００５９】
次に、画像形成装置１の動作方法及び露光パネル２０の動作方法について説明する。動作方法としては６種類あるので、それぞれについて説明する。
【００６０】
（１）第１の動作方法
第１の動作方法は、印刷枚数が１頁ごとに指定選択電極４０を切り換える方法である。
まず、駆動制御部１５の切換部１６によって複数の選択電極４０の中から１つの選択電極４０（例えば１列目の選択電極４０）を指定し、一枚の紙９９の画像が終了するまでその指定選択電極４０を指定し、その指定選択電極４０の有機ＥＬ素子５２を１頁分だけ発光させ続ける。そして、感光体ドラム２、帯電ローラ３、現像ローラ６、転写ローラ７及び定着ローラ８，９が回転し、イレーサ光源１１が発光し、搬送ベルト１２によって紙９９が搬送される。そして、駆動制御部１５が順次入力されてくる階調データをＤＡＣ１７によって順次デジタルアナログ変換し、データ電極３０に発光信号を出力する。これにより、指定選択電極４０と各データ電極３０との間に挟まれたＥＬ層５０は階調データに従った強度で発光する。これにより紙９９に画像が形成されていく。そして、その紙９９の画像形成が終了したら、指定選択電極４０の切換が行われ、例えば図５の指定期間Ａから指定期間Ｂに切り替わる。つまり、その紙９９の画像形成が終了したら、駆動制御部１５の切換部１６によって複数の選択電極４０の中から別の列の選択電極４０（例えば２列目の選択電極４０）を指定し、次の紙９９の画像形成が行われる。ここで、感光体ドラム２の一回転分における１つの潜像される最小単位の１ドット、つまり、紙９９に印刷される最小単位の１ドットには、データ電極３０と指定選択電極４０との間の１つの有機ＥＬ素子５２の１回の発光のみ照射（或いは１回の無発光）されるだけとなり、１ドット分に多重露光を行わない。このように選択電極４０が３列の場合、１列目、２列目、３列目、１列目、２列目……と順次切り換えられる。すなわち、選択電極４０がＮ列（Ｎは２以上の整数）の場合、ｉ列目（１≦ｉ≦Ｎ）の選択電極４０に対応する有機ＥＬ素子５２は、指定終了後、（ｉ＋１）列目の選択電極４０の指定期間、（ｉ＋２）列目の選択電極４０の指定期間、……、（ｉ−１）列目の選択電極４０の指定期間、の（Ｎ−１）列分の指定期間だけ発光をせずに休止できる。
【００６１】
一枚の紙９９ごとに指定を切り換えることにより連続印刷しても、有機ＥＬ素子５２が過熱されることを防止し、露光パネル２０の長寿命化に繋がる。
【００６２】
（２）第２の動作方法
第２の動作方法は、ページカウントにより所定枚数ごとに指定選択電極４０を切り換える方法である。
まず、駆動制御部１５の切換部１６によって複数の選択電極４０の中から１つの選択電極４０を指定し、所定枚数の紙９９の画像が終了するまでその指定選択電極４０を指定し続ける。そして、感光体ドラム２、帯電ローラ３、現像ローラ６、転写ローラ７及び定着ローラ８，９が回転し、イレーサ光源１１が発光し、搬送ベルト１２によって紙９９が搬送される。そして、駆動制御部１５が順次入力されてくる階調データをＤＡＣ１７によって順次デジタルアナログ変換し、データ電極３０に階調データを出力する。これにより、指定選択電極４０と各データ電極３０との間に挟まれたＥＬ層５０は階調データに従った強度で発光し、その紙９９に画像が形成されていく。そして、その紙９９の画像形成が終了したら、次の紙９９が搬送ベルト１２によって搬送され、その後画像形成が繰り返される。そして、所定枚数の紙９９について画像形成が終了したら、指定選択電極４０の切換が行われ、例えば図５の指定期間Ａから指定期間Ｂに切り替わる。つまり、所定枚数の紙９９について画像形成が終了したら、駆動制御部１５の切換部１６によって複数の選択電極４０の中から別の選択電極４０を指定し、引き続き次の所定枚数の紙９９の画像形成が行われる。ここで、所定枚数の紙９９の画像形成は、連続的に行われても良いし、断続的に行われても良い。また、画像形成する紙９９の枚数は、カウンタによってカウントされる。
なお、所定枚数を寿命到達想定枚数としても良い。つまり、ＥＬ層５０が寿命に達すると想定される寿命到達想定枚数を所定枚数としても良い。ここで、感光体ドラム２の一回転分における１つの潜像される最小単位の１ドット、つまり、紙９９に印刷される最小単位の１ドットには、データ電極３０と指定選択電極４０との間の１つの有機ＥＬ素子５２の１回の発光のみ照射（或いは１回の無発光）されるだけとなり、１ドット分に多重露光を行わない。このように選択電極４０が３列の場合、１列目、２列目、３列目、１列目、２列目……と順次切り換えられる。すなわち、選択電極４０がＮ列（Ｎは２以上の整数）の場合、ｉ列目（１≦ｉ≦Ｎ）の選択電極４０に対応する有機ＥＬ素子５２は、指定終了後、（ｉ＋１）列目の選択電極４０の指定期間、（ｉ＋２）列目の選択電極４０の指定期間、……、（ｉ−１）列目の選択電極４０の指定期間、の（Ｎ−１）列分の指定期間だけ発光をせずに休止できる。
【００６３】
（３）第３の動作方法
第３の動作方法は、所定時間内に所定枚数の画像形成があった場合に指定選択電極４０を切り換える方法である。
まず、駆動制御部１５の切換部１６によって複数の選択電極４０の中から１つの選択電極４０を指定し、所定時間内に所定枚数の紙９９の画像が終了するまでその指定選択電極４０を指定し続ける。そして、感光体ドラム２、帯電ローラ３、現像ローラ６、転写ローラ７及び定着ローラ８，９が回転し、イレーサ光源１１が発光し、搬送ベルト１２によって紙９９が搬送される。そして、駆動制御部１５が順次入力されてくる階調データをＤＡＣ１７によって順次デジタルアナログ変換し、データ電極３０に階調データを出力する。これにより、指定選択電極４０と各データ電極３０との間に挟まれたＥＬ層５０は階調データに従った強度で発光し、その紙９９に画像が形成されていく。そして、その紙９９の画像形成が終了したら、次の紙９９が搬送ベルト１２によって搬送され、その後画像形成が繰り返される。そして、所定枚数の紙９９について所定時間内に画像形成が終了したら、指定選択電極４０の切換が行われ、例えば図５の指定期間Ａから指定期間Ｂに切り替わる。つまり、所定枚数の紙９９について所定時間内に画像形成が終了したら、駆動制御部１５の切換部１６によって複数の選択電極４０の中から別の選択電極４０を指定し、引き続き、次の所定枚数の紙９９の画像形成が行われる。ここで、感光体ドラム２の一回転分における１つの潜像される最小単位の１ドット、つまり、紙９９に印刷される最小単位の１ドットには、データ電極３０と指定選択電極４０との間の１つの有機ＥＬ素子５２の１回の発光のみ照射（或いは１回の無発光）されるだけとなり、１ドット分に多重露光を行わない。このように選択電極４０が３列の場合、１列目、２列目、３列目、１列目、２列目……と順次切り換えられる。すなわち、選択電極４０がＮ列（Ｎは２以上の整数）の場合、ｉ列目（１≦ｉ≦Ｎ）の選択電極４０に対応する有機ＥＬ素子５２は、指定終了後、（ｉ＋１）列目の選択電極４０の指定期間、（ｉ＋２）列目の選択電極４０の指定期間、……、（ｉ−１）列目の選択電極４０の指定期間、の（Ｎ−１）列分の指定期間だけ発光をせずに休止できる。
【００６４】
（４）第４の動作方法
第４の動作方法は、指定選択電極４０に重なったＥＬ層５０が所定温度になったら切り換える方法である。画像形成装置１には、有機ＥＬ素子５２の温度を測定する温度センサが設けられている。
まず、駆動制御部１５の切換部１６によって複数の選択電極４０の中から１つの選択電極４０を指定する。そして、感光体ドラム２、帯電ローラ３、現像ローラ６、転写ローラ７及び定着ローラ８，９が回転し、イレーサ光源１１が発光し、搬送ベルト１２によって紙９９が搬送される。そして、駆動制御部１５が順次入力されてくる階調データをＤＡＣ１７によって順次デジタルアナログ変換し、データ電極３０に階調データを出力する。これにより、指定選択電極４０と各データ電極３０との間に挟まれたＥＬ層５０は階調データに従った強度で発光し、その紙９９に画像が形成されていく。そして、その紙９９の画像形成が終了したら、次の紙９９が搬送ベルト１２によって搬送され、画像形成が繰り返される。以上のように画像形成が行われている時に、指定選択電極４０に重なったＥＬ層５０が発光にしたがって所定温度になることが温度センサによって検知されると、指定選択電極４０の切換が行われ、例えば図５の指定期間Ａから指定期間Ｂに切り替わる。つまり、指定選択電極４０に重なったＥＬ層５０が所定温度又は所定温度上昇すると、駆動制御部１５の切換部１６によって複数の選択電極４０の中から別の選択電極４０を指定し、引き続き画像形成が行われる。ここで、感光体ドラム２の一回転分における１つの潜像される最小単位の１ドット、つまり、紙９９に印刷される最小単位の１ドットには、データ電極３０と指定選択電極４０との間の１つの有機ＥＬ素子５２の１回の発光のみ照射（或いは１回の無発光）されるだけとなり、１ドット分に多重露光を行わない。このように選択電極４０が３列の場合、１列目、２列目、３列目、１列目、２列目……と順次切り換えられる。すなわち、選択電極４０がＮ列（Ｎは２以上の整数）の場合、ｉ列目（１≦ｉ≦Ｎ）の選択電極４０に対応する有機ＥＬ素子５２は、指定終了後、（ｉ＋１）列目の選択電極４０の指定期間、（ｉ＋２）列目の選択電極４０の指定期間、……、（ｉ−１）列目の選択電極４０の指定期間、の（Ｎ−１）列分の指定期間だけ発光をせずに休止できる。
【００６５】
（５）第５の動作方法
第５の動作方法は、定電圧駆動時に印加電流が所定のしきい値に減少したときに切り換える方法である。画像形成装置１には、有機ＥＬ素子５２に流れる電流を検知する電流計が、端子３１に接続される配線に接続されている。
まず、駆動制御部１５の切換部１６によって複数の選択電極４０の中から１つの選択電極４０を指定する。そして、感光体ドラム２、帯電ローラ３、現像ローラ６、転写ローラ７及び定着ローラ８，９が回転し、イレーサ光源１１が発光し、搬送ベルト１２によって紙９９が搬送される。そして、駆動制御部１５が順次入力されてくる階調データをＤＡＣ１７によって順次デジタルアナログ変換し、データ電極３０に階調データを出力する。これにより、指定選択電極４０と各データ電極３０との間に挟まれたＥＬ層５０は階調データに従った強度で発光し、その紙９９に画像が形成されていく。そして、その紙９９の画像形成が終了したら、次の紙９９が搬送ベルト１２によって搬送され、画像形成が繰り返される。以上のように画像形成が行われている時に、ＤＡＣ１７の出力が定電圧出力である場合に、ＤＡＣ１７の印加電流を電流計が読み取り、指定選択電極４０に対応する複数の各有機ＥＬ素子５２をそれぞれ流れる電流の電流値のうちいずれかが所定のしきい値に減少していることを検知すると、当該有機ＥＬ素子５２が劣化しているとみなし、指定選択電極４０の切換が行われ、例えば図５の指定期間Ａから指定期間Ｂに切り替わる。印加電流が所定のしきい値に減少すると、駆動制御部１５の切換部１６によって複数の選択電極４０の中から別の選択電極４０を指定する。ここで、感光体ドラム２の一回転分における１つの潜像される最小単位の１ドット、つまり、紙９９に印刷される最小単位の１ドットには、データ電極３０と指定選択電極４０との間の１つの有機ＥＬ素子５２の１回の発光のみ照射（或いは１回の無発光）されるだけとなり、１ドット分に多重露光を行わない。このように選択電極４０が３列の場合、１列目、２列目、３列目、１列目、２列目……と順次切り換えられる。すなわち、選択電極４０がＮ列（Ｎは２以上の整数）の場合、ｉ列目（１≦ｉ≦Ｎ）の選択電極４０に対応する有機ＥＬ素子５２は、指定終了後、（ｉ＋１）列目の選択電極４０の指定期間、（ｉ＋２）列目の選択電極４０の指定期間、……、（ｉ−１）列目の選択電極４０の指定期間、の（Ｎ−１）列分の指定期間だけ発光をせずに休止できる。
【００６６】
（６）第６の動作方法
第６の動作方法は、定電流駆動時の印加電圧が所定のしきい値に増加したときに切り換える方法である。画像形成装置１には、有機ＥＬ素子５２に印加される電圧を検知する電圧計が、引出配線４１に接続される配線、及び端子３１に接続される配線に接続されている。
まず、駆動制御部１５の切換部１６によって複数の選択電極４０の中から１つの選択電極４０を指定する。そして、感光体ドラム２、帯電ローラ３、現像ローラ６、転写ローラ７及び定着ローラ８，９が回転し、イレーサ光源１１が発光し、搬送ベルト１２によって紙９９が搬送される。そして、駆動制御部１５が順次入力されてくる階調データをＤＡＣ１７によって順次デジタルアナログ変換し、データ電極３０に階調データを出力する。これにより、指定選択電極４０と各データ電極３０との間に挟まれたＥＬ層５０は階調データに従った強度で発光し、その紙９９に画像が形成されていく。そして、その紙９９の画像形成が終了したら、次の紙９９が搬送ベルト１２によって搬送され、画像形成が繰り返される。以上のように画像形成が行われている時に、ＤＡＣ１７の出力が定電流出力である場合に、指定選択電極４０に対応する複数の有機ＥＬ素子５２に印加されている電圧を読み取り、これら電圧のうちいずれかが所定のしきい値に増加すると、当該有機ＥＬ素子５２が劣化しているとみなし、指定選択電極４０の切換が行われ、例えば図５の指定期間Ａから指定期間Ｂに切り替わる。つまり有機ＥＬ素子５２への印加電圧が所定のしきい値に達し高抵抗化すると、駆動制御部１５の切換部１６によって複数の選択電極４０の中から別の選択電極４０を指定する。ここで、感光体ドラム２の一回転分における１つの潜像される最小単位の１ドット、つまり、紙９９に印刷される最小単位の１ドットには、データ電極３０と指定選択電極４０との間の１つの有機ＥＬ素子５２の１回の発光のみ照射（或いは１回の無発光）されるだけとなり、１ドット分に多重露光を行わない。このように選択電極４０が３列の場合、１列目、２列目、３列目、１列目、２列目……と順次切り換えられる。すなわち、選択電極４０がＮ列（Ｎは２以上の整数）の場合、ｉ列目（１≦ｉ≦Ｎ）の選択電極４０に対応する有機ＥＬ素子５２は、指定終了後、（ｉ＋１）列目の選択電極４０の指定期間、（ｉ＋２）列目の選択電極４０の指定期間、……、（ｉ−１）列目の選択電極４０の指定期間、の（Ｎ−１）列分の指定期間だけ発光をせずに休止できる。
【００６７】
〔第二の実施の形態〕
図６は、第一実施形態の露光パネル２０の代わりにハウジング１４（図１に図示）に搭載される露光パネル２０Ａの平面図である。また、図７は、図６の切断線VII−VIIに沿った面の矢視断面図である。図８は、１つの配線１３１に係る等価回路図である。
【００６８】
この露光パネル２０Ａにおいても、基板２１上に複数のデータ電極３０がパターニングされ、これらデータ電極３０が絶縁膜６０によって被覆され、絶縁膜６０の上に複数の選択電極４０がパターニングされている。そして、平面視して、データ電極３０と選択電極４０が直交し、データ電極３０と選択電極４０の各交差部に開口部６１が形成され、各開口部６１にＥＬ層５０が埋設され、データ電極３０と選択電極４０との間にＥＬ層５０が挟まれている。データ電極３０、選択電極４０、ＥＬ層５０、絶縁膜６０、開口部６１のほかに、残留層５１、封止材７０及び封止板８０も第１実施形態のそれと同様に設けられている。
【００６９】
但し、本実施形態においては、データ電極３０は絶縁膜６０から露出していないうえ、データ電極３０の端部がＬＳＩチップ１３用の端子となっていない。以下、この露光パネル２０Ａについて、第一実施形態の露光パネル２０とは異なる点について説明する。
【００７０】
この露光パネル２０Ａにおいては、アクティブ駆動の露光装置であって、各データ電極３０ごとに１つの点灯駆動回路が設けられている。点灯駆動回路は、図８に示すように、それぞれ、ｎチャネル型の薄膜トランジスタ１０１，１０２とキャパシタ１０３を具備している。薄膜トランジスタ１０１のゲートは、走査線１０４に接続され、ドレインが配線１３１に接続され、ソースが薄膜トランジスタ１０２のゲートに接続されている。薄膜トランジスタ１０２は、ドレインが給電線１０５に接続され、ソースがデータ電極３０に接続されている。キャパシタ１０３は一端が薄膜トランジスタ１０２のゲートに接続され、他端が薄膜トランジスタ１０２のソースに接続されている。ここで、各配線１３１は４つの点灯駆動回路に対応しており、各配線１３１は４つに分岐され、それぞれに点灯駆動回路の薄膜トランジスタ１０１のドレインに接続されている。
各点灯駆動回路では、薄膜トランジスタ１０２のソースが、１本のデータ電極３０に設けられた３つの有機ＥＬ素子５２とそれぞれ並列に接続されている。各行の３つの有機ＥＬ素子５２のカソードは、それぞれ各列の選択電極４０に接続されている。
走査線１０４は、薄膜トランジスタ１０１，１０２のゲートメタルをパターニングして形成され、給電線１０５は、薄膜トランジスタ１０１，１０２のソース、ドレインメタルをパターニングして形成される。走査線１０４及び給電線１０５は選択電極４０に対して平行になっている。走査線１０４の端部に端子１０４ａが設けられ、給電線１０５の端部に端子１０５ａが設けられ、これら端子１０４ａ及び端子１０５ａが基板２１の縁に沿って一列に配列されている。
【００７１】
図９は、２つの配線１３１に係る平面図であって、配線１３１とデータ電極３０の端部との間を示したものである。薄膜トランジスタ１０１，１０２は、基板２１上のゲートと、ゲートを覆うゲート絶縁膜と、ゲート絶縁膜上においてゲートに対向した半導体膜と、半導体膜の両側に形成された不純物半導体膜と、一方の不純物半導体膜上に形成されたソースと、他方の不純物半導体膜上に形成されたドレイン等とを備える逆スタガ型の薄膜トランジスタである。図９においては図面を簡略化するため、ゲート絶縁膜上においてソースとドレインの間に介在する不純物半導体、半導体及び不純物半導体膜について図示を省略する。
【００７２】
薄膜トランジスタ１０１，１０２のゲート並びに走査線１０４及び給電線１０５は、基板２１上に形成されてゲート絶縁膜によって被覆されている。薄膜トランジスタ１０１，１０２のソース・ドレインは絶縁膜６０に覆われてさらにその上を封止材７０によって被覆されている。
【００７３】
薄膜トランジスタ１０１のゲートは走査線１０４と一体となって形成されている。薄膜トランジスタ１０１のソースとドレインのうちの一方は配線１３１と一体となって形成されており、他方はコンタクトホール１０６を介して薄膜トランジスタ１０２のゲートに接続されている。このコンタクトホール１０６はゲート絶縁膜に形成されたものである。
【００７４】
薄膜トランジスタ１０２のゲートはキャパシタ１０３の一方の電極と一体となっている。薄膜トランジスタ１０２のソースとドレインのうちの一方はコンタクトホール１０７を介して給電線１０５に接続され、他方はキャパシタ１０３の他方の電極と一体となっているとともにコンタクトホール１０８を介してデータ電極３０と接続されている。キャパシタは、一方の電極と他方の電極との間にゲート絶縁膜が介在することによって構成される。
【００７５】
次に、露光パネル２０Ａの動作方法について図１０を用いて説明する。
複数の選択電極４０の中から１つの選択電極４０が駆動制御部１５によって指定され、感光体ドラム２、帯電ローラ３、現像ローラ６、転写ローラ７及び定着ローラ８，９が回転し、イレーサ光源１１が発光し、搬送ベルト１２によって紙９９が搬送される。例えば、これら選択電極４０がカソードである場合、図１０に示すように、１列目の選択電極４０が指定されている指定期間Ａでは、その選択電極４０の電圧が選択電圧Ｓ（ローレベル）である。
【００７６】
何れかの選択電極４０が指定されている時には、水平同期信号（HSYNC）に同期して複数の走査線１０４が順次選択されていき（図１０では１列目から順に選択されていき）、最後（図１０では４列目）の走査線１０４が選択された後は再び最初（図１０では１列目）の走査線１０４が選択され、複数の走査線１０４の順次選択が繰り返される。図１０においては、走査線１０４の１回の選択期間をＣで表す。選択電極４０がカソードである場合、選択された走査線１０４にはオンレベルのハイ電圧Ｈが印加され、選択されていない走査線１０４にはオフレベルのロー電圧Ｌが印加される。選択期間Ｃの間に、選択された走査線１０４及び選択されていない走査線１０４には、配線１３１から発光信号が出力されるが、選択された走査線１０４に接続された薄膜トランジスタ１０１のみ薄膜トランジスタ１０２のゲートに発光信号電圧を出力する。
【００７７】
複数の走査線１０４の順次選択に同期して、複数の給電線１０５も順次選択されていき（図１０では１列目から順に選択されていき）、最後（図１０では４列目）の給電線１０５が選択された後は再び最初（図１０では１列目）の給電線１０５が選択され、複数の給電線１０５の順次選択が繰り返される。ここで、給電線１０５の選択期間Ｄは、走査線１０４の選択期間Ｃよりも長く、何れかの走査線１０４が選択される時には、その走査線１０４に係る給電線１０５の電圧が薄膜トランジスタ１０２のしきい値を十分越えるハイレベルになり、次にその走査線１０４が選択される前に、その走査線１０４に係る給電線１０５の電圧が薄膜トランジスタ１０２のしきい値未満のローレベルになる。このため、各配線１３１からの発光信号によって、各配線に接続された４つの点灯駆動回路のうちの１つの有機ＥＬ素子５２のみが発光することになる。つまり、１列目の走査線の選択期間Ｃでは、１行目、５行目、……（４ｋ−３）行目（ｋは１以上の整数）の薄膜トランジスタ１０１が選択されるとともに、１行目、５行目、……（４ｋ−３）行目（ｋは１以上の整数）の薄膜トランジスタ１０２のドレインに１列目の給電配線のハイレベルの電圧Ｈが印加されて、発光信号に応じて有機ＥＬ素子５２が発光する。
【００７８】
このように、何れかの走査線１０４が選択される時（選択期間Ｃ）には、それに接続された薄膜トランジスタ１０１がオンになる。また、何れかの走査線１０４が選択される時には、階調データ（電圧の大きさで表された階調データが配線１３１に出力され、オンになった薄膜トランジスタ１０１に係るキャパシタ１０３に階調データが電荷として保持され、更にオンになった薄膜トランジスタ１０１に係る薄膜トランジスタ１０２のゲートにもその階調データが出力される。そのため、薄膜トランジスタ１０２のソースとドレインの間には、階調データに従った大きさの電流が流れ、その電流は指定選択電極４０とデータ電極３０との間に挟まれたＥＬ層５０にも流れる。そのため、有機ＥＬ素子５２が発光する。その走査線１０４の選択が終了すると、その走査線１０４に接続された薄膜トランジスタ１０１がオフになり、キャパシタ１０３に保持される。この時、給電線１０５はまだハイレベル電圧Ｈが維持されているので、有機ＥＬ素子５２は発光し続ける。つまり、選択期間Ｄの間、指定選択電極４０とデータ電極３０との間に挟まれた有機ＥＬ素子５２が発光する。
【００７９】
以上のように最初の走査線１０４が選択されてから最後の走査線１０４が選択されるまでの間に、指定選択電極４０の下にある全てのＥＬ層５０が一回発光し、紙９９には１ライン分の画像が形成される。そして、紙９９が搬送されつつ、複数の走査線１０４の順次選択が繰り返されることによって、一枚の紙９９の二次元の画像が形成される。複数枚の紙９９に画像を形成する場合は、搬送ベルト１２によって紙９９を順次搬送し、露光パネル２０Ａの動作については同様なことが行われる。
【００８０】
ここで、指定選択電極４０を切り換えるタイミングは、第一実施形態における第１〜第６の動作方法の何れかと同様である。
【００８１】
なお、本発明は、上記各実施の形態に限定されることなく、本発明の趣旨を逸脱しない範囲において、種々の改良並びに設計の変更を行っても良い。
上記各実施形態では、露光パネル２０，２０Ａで感光体ドラム２に静電潜像を形成したが、例えば、上述のような露光パネル２０，２０Ａで感光性フィルムに潜像を直接形成してもよい。潜像の形成された感光性フィルムを化学的又は熱的に現像すると、像が顕在化する。
【００８２】
また、図１１の平面図に示すように、絶縁膜６０の上に複数のバイパス線１４０を形成しても良い。これらバイパス線１４０は選択電極４０に対して平行に設けられ、バイパス線１４０の数は選択電極４０の数と同じである。そして、絶縁膜６０の下には、データ電極３０に対して平行な複数の接続線１４１が形成されており、接続線１４１の一端がコンタクトホール１４２を介して選択電極４０に接続され、接続線１４１の他端がコンタクトホール１４３を介して選択電極４０に接続されている。これにより、１本の選択電極４０につき一本のバイパス線１４０が導通している。そして、選択電極４０にバイパス線１４０が導通しているので、選択電極４０の幅が狭くて選択電極４０の抵抗が高くても、バイパス線１４０が選択電極４０の導電を補助している。そのため、選択電極４０の幅を狭くすることができ、狭い領域により多くの選択電極４０をパターニングすることができる。選択電極４０の数が増えれば、露光パネル２０，２０Ａの寿命を延ばすことができる。また、選択電極４０の幅が狭くなるので、より狭い領域に複数の選択電極４０を形成することができ、結像光学系４によるＥＬ層５０の光伝達効率は何れの選択電極４０でも一様にすることができる。なお、バイパス線１４０は第一実施形態における露光パネル２０にも、第二実施形態における露光パネル２０Ａにも用いることができる。
【図面の簡単な説明】
【００８３】
【図１】本発明の第一実施形態における画像形成装置の概略側面図である。
【図２】本発明の第一実施形態における露光パネルの平面図である。
【図３】図２の切断線III−IIIに沿った面の矢視断面図である。
【図４】上記画像形成装置に備わる回路を示したブロック図である。
【図５】選択電極を指定するために印加する電圧のタイミングチャートである。
【図６】本発明の第二実施形態における露光パネルの平面図である。
【図７】図６の切断線VII−VIIに沿った面の矢視断面図である。
【図８】配線１３１から３つの引出配線４１までの間の等価回路を示した図面である。
【図９】配線１３１とデータ電極３０の端部との間を示した平面図である。
【図１０】選択電極、走査線及び給電線に印加する電圧のタイミングチャートである。
【図１１】第一実施形態、第二実施形態における露光パネルの変形例の平面図である。
【符号の説明】
【００８４】
１  画像形成装置
２０  露光パネル
３０  データ電極
４０  選択電極
５０  エレクトロルミネッセンス層
１０１  薄膜トランジスタ
１０２  薄膜トランジスタ
１０３  キャパシタ
【図１】
2008080643.tif 000003
【図２】
2008080643.tif 000004
【図３】
2008080643.tif 000005
【図４】
2008080643.tif 000006
【図５】
2008080643.tif 000007
【図６】
2008080643.tif 000008
【図７】
2008080643.tif 000009
【図８】
2008080643.tif 000010
【図９】
2008080643.tif 000011
【図１０】
2008080643.tif 000012
【図１１】
2008080643.tif 000013